(57)【要約】【課題】  本発明は、置時計や掛時計等の表示板の上にある時刻を示す数字、印し、模様等を自由に何度でも付け外しや移動、交換することが出来又、時針、分針の上にも印しや模様等を何度でも付け外しや交換出来る、時計を提供する。【解決手段】  柔軟性のある薄いシートの上面に数字、印し、キャラクターデザイン、色、模様等を表示して、このシートの底面にくり返し貼ったり、はがしたり出来、はがし跡に接着剤が残らず、又ホコリがついても洗えば粘着力は回復する粘着剤を付け、表示盤と時針、分針に付け外し出来るようにする。表示盤と時針、分針の表面は、シートを貼るように凸凹の無い滑らかな面にする。以上を特徴とする時計である。【選択図】  図１
2005265821.tif 000002
【特許請求の範囲】
【請求項１】
跡が残らないように付け外しの出来るシートの上面に数字、印し、キャラクターデザイン、色、模様等を表示して、このシートを時計の表示盤と時針、分針に付けることを特徴とする、時計。
【発明の詳細な説明】
【技術分野】
【０００１】  本発明は、置時計や掛時計等の表示盤の上にある時刻を示す数字、印し、模様等を自由に何度でも付け外しや移動、交換することが出来又、時針、分針の上にも印しや模様等を何度でも付け外しや交換出来る、時計に関するものである。
【背景技術】
【０００２】  従来、置時計や掛時計の表示盤の上にある時刻を示す数字、印し、模様等は接着や印刷、プリント等で固定されていた。
従来、時針、分針を簡単に交換し、デザインを変えることは出来なかった。
従来、時計の見方を幼児や児童に理解させるのは、難しかった。
【特許文献１】登録実用新案第３０９６７９８号公報
【発明の開示】
【発明が解決しようとする課題】
【０００３】  そのために、次のような問題点があった。
置時計や掛時計の表示盤の上にある時刻を示す数字、印し、模様等は接着や印刷、プリント等で固定しているために、それぞれに使用する個人の趣味や生活環境に合わせることが難しく、販売されているものをそのまま使い、趣味や生活環境が変化し時計が合わないと買い替えるしか方法がなかった。
時針、分針をそれぞれに使用する個人の趣味や生活環境に合わせるとゆう概念が無い為交換できず、又動く部分のため簡単に交換出来ない様になっていた。
表示盤の上にある時刻を示す数字、印し、模様等や時針、分針に幼児や児童は興味を示さず、又興味を示しても時針、分針を解り易く表現出来ない為時計の見方や時間、時刻を幼児や児童に理解させるのは、難しかった。
本発明は、これらの問題点を解決するためになされたものである。
【課題を解決するための手段】
【０００４】  柔軟性のある薄いシート（１）の上面に数字、印し、キャラクターデザイン、色、模様等をプリント又はシール等に数字、印し、キャラクターデザイン、色、模様等を印刷したものを接着して、このシート（１）の底面にくり返し貼ったり、はがしたり出来、はがし跡に接着剤が残らなくて、又ホコリがついても洗えば粘着力は回復する粘着剤を付け、表示盤（６）の上にある時刻を示す位置（７）に付けたり、外したり出来るようにする。時計の時針（４）、分針（５）に合わせて作った柔軟性のある薄いシート（２）（３）の上面に数字、印し、キャラクターデザイン、色、模様等をプリント又はシール等に数字、印し、キャラクターデザイン、色、模様等を印刷したものを接着して、このシートの底面にくり返し貼ったり、はがしたり出来、はがし跡に接着剤が残らず、又ホコリがついても洗えば粘着力は回復する粘着剤を付け、時針（４）、分針（５）に付けたり外したり出来るようにする。表示盤（６）、時針（４）、分針（５）の表面は、シート（１）（２）（３）を貼るように凸凹の無い滑らかな面にする。以上を特徴とする時計である。
【発明の効果】
【０００５】  本発明は、置時計や掛時計の表示盤の上にある時刻を示す数字、印し、色、形、模様等を自由に付け外し出来ることにより、１つの時計を様々のデザインに簡単に変えることが出来る。時針、分針の色、形、模様等を自由に付け外し出来ることにより１つの時計のデザインを簡単に変えることが出来る。以上の効果によりインテリアの一部にもなっている時計の最も目に付く時刻を示す部分と時針、分針のデザインを変更することにより、使用する個人の趣味や生活環境に簡単に合わせることが出来る。時計本体の造りをシンプルに出来、表示盤や時針、分針等にも複雑な加工や特殊加工等をしなくてもよいのでコストを低くする事が出来る。表示盤の上にある時刻を示す位置と時針、分針に幼児や児童が理解しやすく興味のあるデザインの物を貼る事により時計の見方や時間、時刻をわかり易く教えることが出来、知育的、教育的効果がある。
【発明を実施するための最良の形態】
【０００６】  以下、本発明の実施の形態を説明する。
（イ）柔軟性のある薄いシート（１）の上面に数字、印し、キャラクターデザイン、色、模様等をプリント又はシール等に数字、印し、キャラクターデザイン、色、模様等を印刷したものを接着して、このシート（１）の底面にくり返し貼ったり、はがしたり出来、はがし跡に接着剤が残らず又ホコリがついても洗うことにより粘着力が回復する粘着剤をつける。
（ロ）シート（１）の上面に表示する数字、印し、キャラクターデザイン、色、模様等は色々な種目、種類の物を数多く作ると個人の趣味や生活環境に合わせることができる。又シート（１）の上面に使用者が絵や文字等を書いて使うことやイラスト、写真、シール等を貼り使うことも出来る。
（ハ）シート（１）は１２枚を一組の種類にして、時計とセットにする。又シート（１）を別売りの交換用シート（１）として買うことが出来るようにする。
（ニ）シート（１）のサイズは、表示盤（６）に張る事の出来るサイズの物を数種類用意する。
（ホ）シート（１）の形は、丸、三角、四角などの形やシート（１）の上面に表示するデザインなどの外形等に合わせる。
（ヘ）シート（１）の厚みは、時針（４）、分針（５）の機能を妨げない厚みにする。しかし、シート（１）を時針（４）、分針（５）の動いている部分より外側に貼る場合はこの限りでない。
（ト）シート（１）の材質は、柔軟性のある合成樹脂などの他プラスチック、ガラス金属、木材、布等にしてもよい。
（チ）シート（１）の表面に凹凸をつけて立体的に模様を表現してもよく、点字の表示をして視覚に障害の有る人にも使えるように出来る。
（リ）時計の時針（４）、分針（５）の上に貼るシート（２）（３）は時針（４）、分針（５）のサイズに合わせて作る。ただしシート（２）（３）上面の模様や形により時針（４）、分針（５）の形やサイズにこだわらなくてもよい。
（ヌ）シート（２）（３）は、２枚を一組の種類にして、時計とセットにする。又シート（２）（３）を別売りの交換用シート（２）（３）として買うことが出来るようにする。
（ル）シート（２）（３）の上面に表示する数字、印し、キャラクターデザイン、色、模様等は色々な種目、種類の物を数多く作ると個人の趣味や生活環境により多く合わせることができる。又シート（２）（３）の上面に使用者が絵や文字等を書いて使うことやイラスト、写真、シール等を貼り使うことも出来る。
（ヲ）シート（２）（３）は、時針（４）、分針（５）の機能を妨げない厚みや大きさ重量にする。
（ワ）シート（２）（３）の材質は、柔軟性のある合成樹脂などの他プラスチック、ガラス、金属、木材、布等にしてもよい。
（カ）シート（１）（２）（３）は、薄いシールの様な物にしてもよい。
（ヨ）表示盤（６）、時針（４）、分針（５）の材質は、プラスチック、ガラス、金属、木材等で作り、表面はシート（１）（２）（３）を貼るように凸凹の無い滑らかな面にして、材質の特性により表面を塗装やコーティング等で処理をして粘着シート（１）（２）（３）の付け外しを出来るようにする。
（タ）表示盤（６）を覆う前面カバーは、時計のデザインによって無くてもよい。表示盤（６）を覆うカバーが有る時計はシート（１）（２）（３）を付け外し出来るように前面カバーを付け外し又は開け閉め出来る構造にする。
（レ）表示盤（６）には、時刻を示す正確な位置に線、印し、数字等をつけておく。なおデザインを重視する場合は小さく、少なくしてもよく、又無くてもよい。
（ソ）シート（１）は、時刻を示す位置に横や縦に並べて貼ってもよい。
（ツ）シート（１）は、使用者の使う状態に合わせて自由に貼り、表示盤（６）の時刻を示す正確な位置に貼らなくてもよい。又貼る枚数も必要な枚数だけを貼り、シート（１）の上面に表示する数字、印し、キャラクターデザイン、色、模様等に必ずしも統一性や、関連性を持たせる必要は無く自由に貼る。
（ネ）シート（１）（２）（３）は、形やサイズに必ずしも統一性や、関連性を持たせる必要は無く自由に貼る。
（ナ）シート（２）（３）もシート（１）と必ずしも統一性や、関連性を持たせる必要も無く自由に貼り、シート（２）（３）もお互いに必ずしも統一性や、関連性を持たせる必要は無く自由に貼る。
（ラ）一つの時計に複数の使用者が各自に必要な位置にシート（１）を貼り、複数の使用者が一つの時計を共同で使用することも出来る。
（ム）シート（１）（２）（３）を付け外ししても、表示盤（６）や時針（４）、分針（５）にその痕跡を残さず外観を損ねることが無いので必要ないときはシート（１）（２）（３）を貼らなくてもよい。
（ウ）シート（１）（２）（３）は、時計の傾きや振動によりずれたり外れたりすることなく、なおかつ付け外しの容易な粘着力にする。
本発明は以上の構成からなるので、本発明を使用するときは上記のシート（１）（２）（３）をそれぞれに使用する個人の趣味や生活環境に合わせてオリジナルの時計を作ることが出来、又季節や趣味、生活環境の変化に応じてシート（１）（２）（３）を交換する事により時計を買い換えることなく楽しむことが出来る。時計本体の造りをシンプルに出来、表示盤や時針、分針等にも複雑な加工や特殊加工等をしなくてもよいのでコストを低くする事が出来る。シート（１）（２）（３）は、磁性体ではないので時計に影響を与えない。シート（１）（２）（３）を貼らない時はその痕跡を残さず外観を損ねることが無い。表示盤の上にある時刻を示す位置と時針、分針に幼児や児童が理解しやすく興味のあるデザインの物を貼る事により時計の見方や時間、時刻をわかり易く教えることが出来、知育的、教育的効果がある。
【発明を実施するための最良の形態】
【実施例１】
【０００７】  （イ）シート（１）（２）（３）は従来の接着剤の付いたシール状の物を使い、表示盤（６）、時針（４）、分針（５）の表面をシールの台紙の様に加工することにより、シート（１）（２）（３）の付け外しを出来るようにした時計。
【実施例２】
【０００８】  （イ）表示盤（６）、時針（４）、分針（５）とシート（１）（２）（３）の付け外しにフェライト磁石を使用した時計。
（ロ）表示盤（６）、時針（４）、分針（５）を磁石が付く金属で作り、シート（１）（２）（３）にフェライト磁石を使用し付け外し出来るようにした時計。
（ハ）表示盤（６）の時刻を示す部分と、時針（４）、分針（５）の一部に磁石が付く金属を接着もしくは埋め込みフェライト磁石を使用し作ったシート（１）（２）（３）を使用し付け外し出来るようにした時計。
（ニ）表示盤（６）の時刻を示す部分と、時針（４）、分針（５）の一部に磁石を接着もしくは埋め込み、磁石が付く金属を使用し作ったシート（１）（２）（３）を使用し付け外し出来るようにした時計。
（ホ）シート（１）（２）（３）の一部に磁石を接着もしくは埋め込み、付け外し出来るようにした時計。
【実施例３】
【０００９】  （イ）表示盤（６）、時針（４）、分針（５）とシート（１）（２）（３）の付け外しにマジックテープを使用した時計。
（ロ）表示盤（６）、時針（４）、分針（５）にマジックテープを接着し、シート（１）（２）（３）にもマジックテープを接着する事により、付け外し出来るようにした時計。
（ハ）表示盤（６）の時刻を示す部分と、時針（４）、分針（５）の一部にマジックテープを接着し、シート（１）（２）（３）の一部にもマジックテープを接着する事により、付け外し出来るようにした時計。
【実施例４】
【００１０】表示盤（６）、時針（４）、分針（５）に一つから二つの穴、孔を開け、シート（１）（２）（３）に穴と同じ数と形の凸を付け、付け外し出来るようにした時計。
【実施例５】
【００１１】表示盤（６）を覆う前面カバーに、シート（１）を付け外し出来るようにした時計。
【実施例６】
【００１２】上記のシート（１）（２）（３）の付け外し方法を使用した時計の表示盤（６）の外に交換用のシート（１）（２）（３）を貼り付けておく場所を設けた時計。
【実施例７】
【００１３】上記のシート（１）（２）（３）の付け外し方法を使用した時計に、スケジュール・ボードを組み合わせた時計。
【実施例８】
【００１４】上記のシート（１）（２）（３）の付け外し方法を使用した時計を、複数組み合わせた時計。
【実施例９】
【００１５】上記のシート（１）（２）（３）の付け外し方法を使用した時計と、デジタル表示の時計を組み合わせた時計。
【実施例１０】
【００１６】上記のシート（１）（２）（３）の付け外し方法を使用した、時計型玩具及び知育、教材用の時計。
【図面の簡単な説明】
【００１７】
【図１】本発明の使用状態を示す斜視図
【図２】本発明の使用状態を示す側面図
【符号の説明】
【００１８】    １  時刻を示すシート
２  時針に貼るシート
３  分針に貼るシート
４  時針
５  分針
６  表示盤
７  時刻を示す位置
【図１】
2005265821.tif 000003
【図２】
2005265821.tif 000004